(57)【要約】【課題】パチスロ台の電源装置に設けられた設定スイッチの不正な操作を防止する。【解決手段】操作パネル４１は、電源装置１の正面部に配設され、前記パチスロ台の払い出し設定値を設定し、カバー扉１２は、一方の端部のヒンジ６３−１，６３−２を軸として回動することにより、操作パネル４１を被覆または露出し、カバー扉１２の他方の端部であって、カバー扉１２が操作パネル４１を被覆するとき、電源装置１の側面部と略並行で、かつ、回動方向に対して略垂直方向に、対向して設けられた２つの係合片６１−１，６１−２と、電源装置１の側面部であって、カバー扉１２が操作パネル４１を被覆するとき、係合片６１−１，６１−２と係合する係合爪３３ｂ−１，３３ｂ−２とを備える。本発明は、電源装置に適用することができる。【選択図】図３
2008228944.tif 000002
【特許請求の範囲】
【請求項１】
パチスロ台に内蔵される電源装置であって、
前記電源装置の正面部に配設され、前記パチスロ台の出玉率を設定する操作部と、
一方の端部のヒンジを軸として回動することにより、前記操作部を被覆または露出する扉部と、
前記扉部の他方の端部であって、前記扉部が前記操作部を被覆するとき、前記電源装置の側面部と略並行で、かつ、前記回動方向に対して略垂直方向に、対向して設けられた２つの係合片と、
前記電源装置の側面部であって、前記扉部が前記操作部を被覆するとき、前記２つの係合片とそれぞれ係合する２つの係合爪と
を備える電源装置。
【請求項２】
前記２つの係合爪と、それぞれ一体の２つ操作案内子と、
前記２つの操作案内子を、前記回動方向に対して垂直方向で、かつ、前記側面部に対して略並行に、それぞれを反発させる弾性体と、
前記２つの操作案内子の、それぞれについて、前記弾性体の反発方向に対して対向する方向における動作範囲を規制する規制部とをさらに備える
請求項１に記載の電源装置。
【請求項３】
前記２つの操作案内子は、それぞれ自らを、前記弾性体の反発方向に対向する方向に押圧操作する操作面を備え、
前記押圧操作面間の距離は、平均的な人間の片手の少なくとも２本以上の指で、摘むことが可能な所定の距離である
請求項２に記載の電源装置。
【請求項４】
前記２つの操作案内子の動作方向に、前記２つの操作案内子とそれぞれ一体の２つの柱部と、
前記柱部を摺動させ、前記柱部の摺動方向を規制するハウジング部とをさらに備え、
前記ハウジング部と前記柱部との摺動面の、前記摺動方向に対して垂直方向の断面形状は、非円形である
請求項２に記載の電源装置。
【請求項５】
前記扉部を、前記操作部を被覆する状態とする回動方向に付勢するねじれ弾性体をさらに備える
請求項１に記載の電源装置。
【発明の詳細な説明】
【技術分野】
【０００１】
本発明は、電源装置に関し、特に、パチスロ台の電源装置に設けられた設定スイッチの不正な操作を防止できるようにした電源装置に関する。
【背景技術】
【０００２】
一般に、パチスロ台（スロットマシン）などの遊技台は、前面扉が右開きで、遊技台本体に収納される装置に電源を供給するための電源装置が、遊技台正面からみて左側の下方に配置されている。
【０００３】
このような電源装置は、前面に操作部が設けられており、この操作部には、各部の装置に電源を供給させて遊技台を起動させるための電源スイッチ、遊技台の打止の有無を設定する打止有無設定スイッチ、メンテナンス時にメダルを回収するため、メダルを遊技台の受け皿に自動で払い出すか否かを設定するメダル回収スイッチ、遊技台の出玉率を設定するための設定スイッチ等の各操作スイッチが設けられていて、さらに操作部を覆う前面扉（カバーパネル）が取付けられている。
【０００４】
そして、係員は前面扉を開いた状態で、上記各種のスイッチを操作する。例えば、メダル回収スイッチが操作されると、メダル払出装置からメダルが強制的に払い出されることにより、メダルの回収が行われ、また、設定スイッチが操作されて、スロットマシンの出玉率が設定されることでスロットマシンの出玉管理が行われる。このように電源装置の操作部に配設された各操作スイッチを操作することによって、遊技メダルの回収作業、スロットマシンのメンテナンス作業および出玉管理作業が行われる。
【０００５】
このため、不正に電源装置の前面扉が開放されて、設定スイッチが操作されることにより、出玉率が不正に操作されたり、不正にメダル回収スイッチが操作されて、不正にメダルが払い出されるといった不正があった。
【０００６】
そこで、このような不正を防止させるための技術が提案されている（特許文献１，２参照）。
【０００７】
【特許文献１】特開２００４−６５４９３号公報
【特許文献２】特開２００６−７５４０６号公報
【発明の開示】
【発明が解決しようとする課題】
【０００８】
しかしながら、上述した手法においては、電源装置の前面扉にロックが設けられてはいるものの、前面扉を開ける方向とロック解除方向が同じである構造である（前面扉に開閉操作をするためのつまみが設けられ、裏にロック機構が設けられている構造である）ため、遊技台の前面扉の隙間から道具（針金等）が用いられて、この電源装置の前面扉のロックを引き出すといった操作のみで比較的容易に外されてりしまうことがあり、操作部の各種スイッチを操作して、不正なメダルの排出が行なわれることがあった。
【０００９】
本発明はこのような状況に鑑みてなされたものであり、パチスロ台の電源装置に設けられた設定スイッチの不正な操作を防止できるようにするものである。
【課題を解決するための手段】
【００１０】
本発明の一側面の電源装置は、パチスロ台に内蔵される電源装置であって、前記電源装置の正面部に配設され、前記パチスロ台の出玉率を設定する操作部と、一方の端部のヒンジを軸として回動することにより、前記操作部を被覆または露出する扉部と、前記扉部の他方の端部であって、前記扉部が前記操作部を被覆するとき、前記電源装置の側面部と略並行で、かつ、前記回動方向に対して略垂直方向に、対向して設けられた２つの係合片と、前記電源装置の側面部であって、前記扉部が前記操作部を被覆するとき、前記２つの係合片とそれぞれ係合する２つの係合爪とを備える。
【００１１】
前記２つの係合爪とそれぞれ一体の２つ操作案内子と、前記２つの操作案内子を、前記回動方向に対して垂直方向で、かつ、前記側面部に対して略並行にそれぞれを反発させる弾性体と、前記２つの操作案内子のそれぞれについて、前記弾性体の反発方向に対して対向する方向における動作範囲を規制する規制部とをさらに設けるようにさせることができる。
【００１２】
前記２つの操作案内子は、それぞれ自らを前記弾性体の反発方向に対向する方向に押圧操作する操作面を設けるようにさせることができ、前記押圧操作面間の距離は、平均的な人間の片手の少なくとも２本以上の指で摘むことが可能な所定の距離とすることができる。
【００１３】
前記２つの操作案内子の動作方向に、前記２つの操作案内子とそれぞれ一体の２つの柱部と、前記柱部を摺動させ、前記柱部の摺動方向を規制するハウジング部とをさらに設けるようにさせることができ、前記ハウジング部と前記柱部との摺動面の前記摺動方向に対して垂直方向の断面形状は非円形とすることができる。
【００１４】
前記扉部を、前記操作部を被覆する状態とする回動方向に付勢するねじれ弾性体をさらに設けるようにさせることができる。
【００１５】
本発明の一側面の電源装置においては、パチスロ台に内蔵される電源装置であって、前記電源装置の正面部に配設され、前記パチスロ台の払い出し設定値を設定する操作部を、一方の端部のヒンジを軸として回動することにより、被覆または露出する扉部に、前記扉部の他方の端部であって、前記扉部が前記操作部を被覆するとき、前記電源装置の側面部と略並行で、かつ、前記回動方向に対して略垂直方向に、対向して設けられた２つの係合片が設けられ、前記電源装置の側面部に、前記扉部が前記操作部を被覆するとき、前記２つの係合片とそれぞれ係合する２つの係合爪が設けられる。
【００１６】
本発明の一側面の電源装置における前記電源装置の正面部に配設され、前記パチスロ台の払い出し設定値を設定する操作部とは、例えば、操作パネルであり、一方の端部のヒンジを軸として回動することにより、前記操作部を被覆または露出する扉部とは、例えば、カバー扉であり、前記扉部の他方の端部であって、前記扉部が前記操作部を被覆するとき、前記電源装置の側面部と略並行で、かつ、前記回動方向に対して略垂直方向に、対向して設けられた２つの係合片とは、例えば、２つの対向する鍵状のものであり、前記電源装置の側面部であって、前記扉部が前記操作部を被覆するとき、前記２つの係合片とそれぞれ係合する２つの係合爪とは、例えば、前記２つの係合片にそれぞれ対向する鍵状の爪である。
【００１７】
すなわち、操作パネルが被覆されている場合、カバー扉は、カバー扉に設けられた２つの係合片と、電源装置本体に設けられた２つの係合爪とが、係合することにより、電源装置本体に対してロックされた状態となり、２つの係合片と係合爪との係合状態をそれぞれ解除しなければ、カバー扉を開いて操作パネルを露出させることができない。
【００１８】
結果として、パチスロ台の電源装置の操作パネルに設けられた設定スイッチの不正な操作を防止することが可能となる。
【発明の効果】
【００１９】
本発明によれば、パチスロ台の電源装置に設けられた設定スイッチの不正な操作を防止することが可能となる。
【発明を実施するための最良の形態】
【００２０】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
すなわち、本発明の一側面の電源装置は、パチスロ台に内蔵される電源装置（例えば、図１乃至図８の電源装置１）であって、前記電源装置の正面部に配設され、前記パチスロ台の出玉率を設定する操作部（例えば、図３の操作パネル４１）と、一方の端部のヒンジを軸として回動することにより、前記操作部を被覆または露出する扉部（例えば、図３のカバー扉１２）と、前記扉部の他方の端部であって、前記扉部が前記操作部を被覆するとき、前記電源装置の側面部と略並行で、かつ、前記回動方向に対して略垂直方向に、対向して設けられた２つの係合片（例えば、図３の係合片６１−１，６１−２）と、前記電源装置の側面部であって、前記扉部が前記操作部を被覆するとき、前記２つの係合片とそれぞれ係合する２つの係合爪（例えば、図３の係合爪３３ｂ−１，３３ｂ−２）とを備える。
【００２２】
前記２つの係合爪（例えば、図３の係合爪３３ｂ−１，３３ｂ−２）と、それぞれ一体の２つ操作案内子（例えば、図３の操作案内子３３−１，３３−２）と、前記２つの操作案内子を、前記回動方向に対して垂直方向で、かつ、前記側面部に対して略並行に、それぞれを反発させる弾性体（例えば、図３の圧縮コイルバネ３２）と、前記２つの操作案内子のそれぞれについて、前記弾性体の反発方向に対して対向する方向における動作範囲を規制する規制部（例えば、図４の段部３１ｂ−１，３１ｂ−２）とをさらに設けるようにさせることができる。
【００２３】
前記２つの操作案内子（例えば、図３の操作案内子３３−１，３３−２）は、それぞれ自らを、前記弾性体の反発方向に対向する方向に押圧操作する操作面（例えば、図３の操作面３３ａ−１，３３ａ−２）を設けるようにさせることができ、前記押圧操作面間の距離は、平均的な人間の片手の少なくとも２本以上の指で摘むことが可能な所定の距離とすることができる。
【００２４】
前記２つの操作案内子（例えば、図３の操作案内子３３−１，３３−２）の動作方向に前記２つの操作案内子とそれぞれ一体の２つの柱部（例えば、図３の柱部３３ｄ−１，３３ｄ−２）と前記柱部を摺動させ、前記柱部の摺動方向を規制するハウジング部（例えば、図３のハウジング３１）とをさらに設けるようにさせることができ、前記ハウジング部と前記柱部との摺動面の前記摺動方向に対して垂直方向の断面形状は非円形とすることができる。
【００２５】
前記扉部（例えば、図３のカバー扉１２）を、前記操作部を被覆する状態とする回動方向に付勢するねじれ弾性体（例えば、図３のねじりコイルバネ７１）をさらに設けるようにさせることができる。
【００２６】
以下、本発明を適用した具体的な実施の形態について、図面を参照しながら詳細に説明する。
【００２７】
図１乃至図５は、本発明の一実施の形態である電源装置を示している。図１は、電源装置１の外観斜視図であり、図２は、右部が電源装置１の側面部であり、左部が右部ＡＡ’断面図（以下、この方向を正面方向と称するものとする）を示している。図３は、正面右側からの分解斜視図であり、図４は、正面左側からの分解斜視図である。図５は、扉ロック機構１３の側面断面図である。
【００２８】
電源装置１は、いわゆるパチスロ台に代表される遊技台の各部の装置ユニットに電源を供給させるための回路を搭載した図示しない回路基板を有し、それを収容するためのケース１１を備えている。また、電源装置１の正面方向には、カバー扉１２が設けられており、図１の矢印Ｏ方向に回動されると操作パネル４１が露出され、矢印Ｃ方向に回動されると操作パネル４１が被覆される。
【００２９】
また、操作パネル４１には、電源のＯＮ／ＯＦＦの切り替えを許容するシーソスイッチからなる電源スイッチ５１、遊技台の打止有／無の切り替えを許容するスライドスイッチからなる打止有無設定スイッチ５２、メンテナンス時にメダルを回収するため、メダルを遊技台の受け皿に自動で払い出すか否かの切り替えを許容するスライドスイッチからなるメダル回収スイッチ５３、鍵を挿入して、例えば、時計回り方向または反時計回り方向に回転させることで遊技台の出玉率の設定変更を許容し、図示せぬハーネスを介して回路基板上に実装される鍵式のスイッチからなる設定スイッチ５４がそれぞれ設けられている。
【００３０】
カバー扉１２は閉じることにより、電源スイッチ５１、打止有無設定スイッチ５２、メダル回収スイッチ５３、および設定スイッチ５４が不正操作されないように操作パネル４１を被覆する。
【００３１】
カバー扉１２の正面左側の上下には、略円柱棒状のヒンジ６３−１，６３−２が設けられており、ヒンジ６３−１の下部６３ｂおよびヒンジ６３−２が、それぞれ電源装置１の本体に設けられた、ヒンジ６３−１，６３−２と略同径穴状の扉開閉支持部５５−１，５５−２に挿通されている。このような構成により、カバー扉１２は、ヒンジ６３−１，６３−２を軸として回動自在な構成とされている。
【００３２】
また、ヒンジ６３−１の上部６３ａは、螺旋状のねじりコイルバネ７１に挿通されている。このねじりコイルバネ７１は、一方の端部がバネ受け部５６に固定され、他方の端部がバネ受け部６２に固定されている。ねじりコイルバネ７１は、図１の矢印Ｃ方向にカバー扉１２を付勢するトルクを発生している。このため、カバー扉１２は、このねじりコイルバネ７１で発生されるトルクにより、無負荷の場合、図１，図２で示されるように操作パネル４１を被覆するように閉じた状態となり、併せて操作パネル４１も被覆された状態となる。一方、正面右部に設けられた扉ロックカバー部１４の下部に摘み１４ａが使用者により摘まれて、上述したねじりコイルバネ７１により発生するトルクに打ち勝つような負荷を掛けながら図１で示される矢印Ｏ方向に引き出されることにより、カバー扉１２は、ヒンジ６３−１，６３−２を軸として回動して開き、操作パネル４１が露出され、操作パネル４１上の電源スイッチ５１、打止有無設定スイッチ５２、メダル回収スイッチ５３、および設定スイッチ５４がそれぞれ操作可能な状態となる。
【００３３】
扉ロック機構１３は、ハウジング３１、圧縮コイルバネ３２、操作案内子３３−１，３３−２、およびケース１１の側面部であって、操作パネル４１の正面右端部に設けられた台３４から構成されている。
【００３４】
操作案内子３３−１、圧縮コイルバネ３２、操作案内子３３−２は、それぞれこの順序で上からハウジング３１のくぼみ３１ｃに内挿された状態で、ハウジング３１および台３４に挟み込まれている。
【００３５】
より詳細には、操作案内子３３−１，３３−２は、抜け止め片３３ｃ−１，３３ｃ−２をそれぞれ圧縮コイルバネ３２の両端部に対して当接し、かつ、柱部３３ｄ−１，３３ｄ−２が、圧縮コイルバネ３２と共にハウジング３１のくぼみ３１ｃに内挿されて、くぼみ３１ｃ内を摺動可能な状態で、ハウジング３１および台３４に挟み込まれている。
【００３６】
圧縮コイルバネ３２は、図５で示される矢印Ａ，Ａ’方向に反発力を発生しているため、抜け止め片３３ｃ−１，３３ｃ−２は、それぞれ矢印Ａ，Ａ’に対して押圧される状態となるが、ハウジング３１内の段部３１ｂ−１，３１ｂ−２に当接することによりハウジング３１内に固定される。従って、操作案内子３３−１，３３−２は、無負荷の場合、抜け止め片３３ｃ−１，３３ｃ−２が、矢印Ａ，Ａ’方向から段部３１ｂ−１，３１ｂ−２に付勢された状態で静止している。また、抜け止め片３３ｃ−１，３３ｃ−２は、ハウジング３１のくぼみ３１ｃと、台３４との摺動面における水平断面形状が略長楕円形状であり、非円形であるため、係合爪３３ｂ−１，３３ｂ−２が、柱部３３ｄ−１，３３ｄ−２を軸として回転することができない構成となっている。
【００３７】
また、操作案内子３３−１，３３−２は、それぞれ操作面３３ａ−１，３３ａ−２が、平均的な人間の片手の少なくとも２本以上の指で、摘むことが可能な所定の距離（例えば、人差指と親指で摘むことができる距離）となるように設けられており、使用者により、図５の矢印Ｂ，Ｂ’方向に圧縮コイルバネ３２の反発力に打ち勝つように双方を摘まむように、押圧されると、柱部３３ｄ−１，３３ｄ−２が、それぞれハウジング３１のくぼみ３１ｃおよび台３４により形成されている摺動面上を摺動し、抜け止め片３３ｃ−１，３３ｃ−２が操作制限突起３１ａ−１，３１ａ−２に当接すると停止する。
【００３８】
すなわち、操作案内子３３−１，３３−２は、圧縮コイルバネ３２の反発力に付勢されて無負荷であれば、それぞれ抜け止め片３３ｃ−１，３３ｃ−２が、段部３１ｂ−１，３１ｂ−２に当接することにより静止しているが、操作面３３ａ−１，３３ａ−２が押圧されて、圧縮コイルバネ３２の反発力の打ち勝つと、それぞれ抜け止め片３３ｃ−１，３３ｃ−２が、操作制限突起３１ａ−１，３１ａ−２に当接するまでの範囲で、柱部３３ｄ−１，３３ｄ−２を矢印Ｂ，Ｂ’方向に摺動する。換言すれば、操作制限突起３１ａ−１，３１ａ−２および段部３１ｂ−１，３１ｂ−２は、それぞれ操作案内子３３−１，３３−２の摺動可能範囲を規制している。なお、操作案内子３３−１，３３−２は、それぞれ独立して摺動することが可能である。
【００３９】
さらに、操作案内子３３−１，３３−２には、それぞれ操作面３３ａ−１，３３ａ−２が設けられている端部にカバー扉１２が閉じられているとき、カバー扉１２の背面に向って係合爪３３ｂ−１，３３ｂ−２が設けられている。係合爪３３ｂ−１，３３ｂ−２は、それぞれ扉ロックカバー部１４上に設けられた係合片６１−１，６１−２と係合する構成となっている。より詳細には、係合爪３３ｂ−１，３３ｂ−２は、それぞれカギ部３３ｅ−１，３３ｅ−２を備えており、逆に、係合片６１−１，６１−２は、カバー扉１２が閉じた状態における、それぞれ背面下上方向に対して鍵状の構成となっている。すなわち、図５で示されるように、係合片６１−１，６１−２の端部６１ａ−１，６１ａ−２は、操作パネル４１の面に対して背面方向に向って飛び出しており、逆に、係合爪３３ｂ−１，３３ｂ−２の曲面３３ｂ’−１，３３ｂ’−２は、操作パネル４１の面に対して正面方向に向って飛び出している。また、係合片６１−１，６１−２の端部６１ａ−１，６１ａ−２および係合爪３３ｂ−１，３３ｂ−２の曲面３３ｂ’−１，３３ｂ’−２が、それぞれ垂直方向に対して略同位置であるため、それぞれの端部６１ａ−１，６１ａ−２および曲面３３ｂ’−１，３３ｂ’−２（カギ部３３ｅ−１，３３ｅ−２）が係合され、これによりカバー扉１２が、本体１１に対してロックされた状態となる。
【００４０】
次に、カバー扉１２を、電源装置１の本体に対して閉じるときの動作について説明する。
【００４１】
カバー扉１２が開いた状態である場合、使用者による図１の矢印Ｏ方向へのカバー扉１２への負荷が開放されると、すなわち、カバー扉１２が何物にも触れていない状態になると、カバー扉１２は、ねじりコイルバネ７１により発生するトルクにより、図１における矢印Ｃ方向に回動し、カバー扉１２が、電源装置１のケース１１に対して閉じることにより、操作パネル４１を被覆する。
【００４２】
そして、カバー扉１２の矢印Ｃ方向への回動が進むと、カバー扉１２が電源装置１のケース１１に対して閉じる直前において、扉ロックカバー部１４の係合片６１−１，６１−２の端部６１ａ−１，６１ａ−２と、扉ロック機構１３の操作案内子３３−１，３３−２の係合爪３３ｂ−１，３３ｂ−２における曲面３３ｂ’−１，３３ｂ’−２とが、相互に当接する。しかしながら、この状態においても、カバー扉１２は、ねじるコイルバネ７１のトルクにより、矢印Ｃ方向へと回動する。
【００４３】
すると、扉ロックカバー部１４の係合片６１−１，６１−２の端部６１ａ−１，６１ａ−２は、操作案内子３３−１，３３−２の係合爪３３ｂ−１，３３ｂ−２における曲面３３ｂ’−１，３３ｂ’−２を、それぞれ矢印Ｂ，Ｂ’方向に押圧する。操作案内子３３−１，３３−２の曲面３３ｂ’−１，３３ｂ’−２がそれぞれ矢印Ｂ，Ｂ’方向に押圧されることにより、柱部３３ｄ−１，３３ｄ−２が、矢印Ｂ，Ｂ’方向に摺動する。柱部３３ｄ−１，３３ｄ−２が、矢印Ｂ，Ｂ’方向に摺動することにより、抜け止め片３３ｃ−１，３３ｃ−２が、圧縮コイルバネ３２を矢印Ｂ，Ｂ’方向から挟み込むように押圧する。
【００４４】
圧縮コイルバネ３２は、カバー扉１２の矢印Ｃ方向への回動に基づく、抜け止め片３３ｃ−１，３３ｃ−２の押圧作用により発生する力以上の反発力は備えられていないので、柱部３３ｄ−１，３３ｄ−２の矢印Ｂ，Ｂ’方向への摺動は進む。
【００４５】
扉ロックカバー部１４の係合片６１−１，６１−２の端部６１ａ−１，６１ａ−２は、カバー扉１２の矢印Ｃ方向への回動が進むにつれて、操作案内子３３−１，３３−２の係合爪３３ｂ−１，３３ｂ−２における曲面３３ｂ’−１，３３ｂ’−２を、矢印Ｂ，Ｂ’方向に押圧し続けることになる。すると、曲面３３ｂ’−１が端部６１ａ−１の下部に、曲面３３ｂ’−２が端部６１ａ−２の上部にそれぞれ滑り込むように動作する。
【００４６】
このため、曲面３３ｂ’−１の最上部が端部６１ａ−１の最下部を乗り越えると、抜け止め片３３ｃ−１が圧縮コイルバネ３２の反発作用を受けることにより、柱部３３ｄ−１が矢印Ａ方向に摺動し、カギ部３３ｅ−１が係合片６１−１に係合することにより係合片６１−１と係合爪３３ｂ−１とが係合する。同様に、曲面３３ｂ’−２の最下部が、端部６１ａ−２の最上部を乗り越えると、抜け止め片３３ｃ−２が圧縮コイルバネ３２の反発作用を受けることにより柱部３３ｄ−２が矢印Ａ’方向に摺動し、カギ部３３ｅ−２が、係合片６１−２に係合することにより係合片６１−１と係合爪３３ｂ−１とが係合する。
【００４７】
結果として、係合爪３３ｂ−１，３３ｂ−２は図６の右部で示されるように、それぞれがカバー扉１２が矢印Ｃ方向に閉じる際に発生する作用により、矢印Ｂ，Ｂ’方向に摺動した後、図６の左部の状態に移行して、係合片６１−１，６１−２とそれぞれ係合する。
【００４８】
このため、カバー扉１２を閉じる際には、特に、使用者による操作がなされなくても、ねじりコイルバネ７１により発生するトルクにより、係合爪３３ｂ−１，３３ｂ−２と、係合片６１−１，６１−２とが、それぞれに係合されることになるので、カバー扉１２は、手を離すだけでロックされる。
【００４９】
カバー扉１２は、係合爪３３ｂ−１，３３ｂ−２と、係合片６１−１，６１−２とが係合されていることにより、電源装置１のケース１１に対して拘束された状態となるため、単純に扉ロックカバー部１４の摘み１４ａを矢印Ｏ方向に引っ張っても回動することができない（カバー扉１２を開くことができない）状態となるため、容易に開放することができない状態となる。
【００５０】
また、上述したように抜け止め片３３ｃ−１，３３ｃ−２は、ハウジング３１のくぼみ３１ｃと、台３４との摺動面における水平断面形状が略長楕円形状であり、非円形であるため、係合爪３３ｂ−１，３３ｂ−２が、仮に不正に道具（針金等）で引っ掛けられるなどしても係合爪３３ｂ−１，３３ｂ−２が柱部３３ｄ−１，３３ｄ−２を軸として回転することがないので、係合爪３３ｂ−１，３３ｂ−２と、係合片６１−１，６１−２との係合を解除することは困難であり、カバー扉１２の不正な開放を抑制させることが可能となる。
【００５１】
次に、カバー扉１２を、電源装置１の本体に対して開くときの動作について説明する。
【００５２】
上述したように、カバー扉１２は、係合爪３３ｂ−１，３３ｂ−２と、係合片６１−１，６１−２とが係合されていることにより、矢印Ｏ方向に回動することができない。そこで、この係合状態を解除するため、図７，図８で示されるように、２本の指で、操作面３３ａ−１，３３ａ−２を摘むようにして、矢印Ｂ，Ｂ’方向に押圧する。この操作により、柱部３３ｄ−１，３３ｄ−２が矢印Ｂ，Ｂ’方向に摺動し、抜け止め片３３ｃ−１，３３ｃ−２へと操作面３３ａ−１，３３ａ−２に負荷された力が伝達され、結果として、抜け止め片３３ｃ−１，３３ｃ−２が圧縮コイルバネ３２を矢印Ｂ，Ｂ’方向から挟み込むように圧縮する。
【００５３】
尚、図７は、人差指と親指により操作面３３ａ−１，３３ａ−２が押圧されている状態を示している。また、図８は、図７における扉ロック機構１３の拡大図を示している。
【００５４】
この状態からさらに、圧縮コイルバネ３２により発生されている反発力に打ち勝つように、操作面３３ａ−１，３３ａ−２に矢印Ｂ，Ｂ’方向の押圧力が負荷されると、柱部３３ｄ−１，３３ｄ−２が矢印Ｂ，Ｂ’方向に摺動し、カギ部３３ｅ−１，３３ｅ−２が、係合片６１−１，６１−２に対して係合している状態から解除される。このように、カギ部３３ｅ−１，３３ｅ−２が係合片６１−１，６１−２に対して係合している状態から解除されることにより、係合爪３３ｂ−１，３３ｂ−２と、係合片６１−１，６１−２との係合が解除され、カバー扉１２はケース１１による拘束から開放される。しかしながらこの状態においても、カバー扉１２はねじりコイルバネ７１で発生するトルクにより、矢印Ｃ方向に付勢された状態となっているので、カバー扉１２は、例えば、扉ロックカバー部１４の摘み１４ａにより、矢印Ｏ方向にさらに引き出されなければ、ケース１１に対して開放することができない。
【００５５】
以上のように、カバー扉１２を開放するためには、操作面３３ａ−１，３３ａ−２を矢印Ｂ，Ｂ’方向に対して押圧して、同時にカギ部３３ｅ−１，３３ｅ−２が、それぞれ係合片６１−１，６１−２に対して係合している状態から解除される必要がある。上述した構成により、カギ部３３ｅ−１，３３ｅ−２が、それぞれ係合片６１−１，６１−２に対して係合している状態から解除されるには、少なくとも２本以上の指による操作が必要となる。
【００５６】
また、カバー扉１２は、ねじりコイルバネ７１で発生するトルクにより、矢印Ｃ方向に付勢された状態となっているので、必ず摘み１４ａなどにより矢印Ｏ方向に引き出される必要がある。
【００５７】
以上のような構成から、上述した電源装置１においては、カバー扉１２は少なくとも２本の指で操作面３３ａ−１，３３ａ−２を摘み、少なくとも別の１本の指で摘み１４ａを引き出す必要があり、さらにそれぞれの操作を別の位置で（片手で操作できる範囲ではない程度に離れた位置で）実行する必要がある。このとき、操作面３３ａ−１，３３ａ−２の操作方向は、カバー扉１２の回動方向に対して垂直方向であり、さらにそれぞれ独立した動作である。従って、少なくとも２アクション以上（少なくとも２本の指で操作面３３ａ−１，３３ａ−２を摘むという第１のアクション、および、少なくとも別の１本の指で摘み１４ａを引き出すという第２のアクション）で操作しなければ、カバー扉１２は、ケース１１より開放することができない。このため、仮に不正に遊技台の前面扉を若干開放することができたとしても、さらに、カバー扉１２を開放するのは事実上困難であるため、カバー扉１２の不正な開放を防止させることが可能となる。
【００５８】
結果として、不正な道具（針金等）で、遊技台の前扉を僅かにでも開くことができたとしても、電源装置１のカバー扉１２をさらに開放し、その上で操作パネル４１上の電源スイッチ５１、打止有無設定スイッチ５２、メダル回収スイッチ５３、および設定スイッチ５４を不正に操作するのは極めて困難な状態とすることが可能となり、不正な操作を防止することが可能となる。
【００５９】
さらに、このように、カバー扉１２を開ける際には、少なくとも２アクション以上で操作することが必要となるが、上述したように、カバー扉１２を閉じる際には、カバー扉１２から手を離すのみでよいため、容易にカバー扉をロック状態とすることが可能となる。
【００６０】
以上のことから、本発明によれば、パチスロ台の電源装置に設けられた設定スイッチの不正な操作を防止することが可能となる。
【図面の簡単な説明】
【００６１】
【図１】本発明の適用した電源装置の外観正面図である。
【図２】図１の電源装置の正面図および側面図である。
【図３】図１の電源装置の分解斜視図である。
【図４】図１の電源装置の分解斜視図である。
【図５】図１の扉ロック機構の断面図である。
【図６】カバー扉を閉じる時の操作を説明する図である。
【図７】カバー扉を開放する時の操作を説明する図である。
【図８】カバー扉を開放する時の操作を説明する図である。
【符号の説明】
【００６２】
１  電源装置
１１  ケース
１２  カバー扉
１３  扉ロック機構
１４  扉ロックカバー
１４ａ  摘み
３１  ハウジング
３２  圧縮コイルバネ
３３，３３−１，３３−２  操作案内子
３３ａ−１，３３ａ−２  操作面
３３ｂ−１，３３ｂ−２  係合爪
３３ｂ’−１，３３ｂ’−２  曲面
３３ｃ−１，３３ｃ−２  抜け止め片
３３ｄ−１，３３ｄ−２  柱部
３３ｅ−１，３３ｅ−２  カギ部
３４  台
６１−１，６１−２  係合片
７１  ねじりコイルバネ
【図１】
2008228944.tif 000003
【図２】
2008228944.tif 000004
【図３】
2008228944.tif 000005
【図４】
2008228944.tif 000006
【図５】
2008228944.tif 000007
【図６】
2008228944.tif 000008
【図７】
2008228944.tif 000009
【図８】
2008228944.tif 000010